(57)【要約】【課題】簡単な構造で効果的な防滴を行うことができる回転式電子部品を提供すること。【解決手段】回転つまみ６０と、回転つまみ６０と一体に回転する回転体１３０と、回転つまみ６０と回転体１３０の間に設置される第１ケース１０とを具備する回転式電子部品１である。第１ケース１０の回転体１３０と対向する側の面にクリック係合部２１を設ける。回転体１３０にクリック係合部２１に弾接するクリック弾性体１１０を取り付ける。クリック弾性体１１０が第１ケース１０のクリック係合部２１に弾接する弾発力によって、回転つまみ６０を第１ケース１０に潤滑シート５０を介して圧接密着させる密着部Ｍを設ける。密着部Ｍによって回転つまみ６０側から、第１ケース１０を介して、回転体１３０側に浸入しようとする液体などを防滴する。【選択図】図３
2020017379.tif 000002
【特許請求の範囲】
【請求項１】
回転つまみと、
前記回転つまみと一体に回転する回転体と、
前記回転つまみと前記回転体の間に設置されるケースと、を具備し、
前記ケースの前記回転体と対向する側の面にクリック係合部を設け、
前記回転体に前記クリック係合部に弾接するクリック弾性体を取り付け、
前記クリック弾性体が前記ケースのクリック係合部に弾接する弾発力によって、前記回転つまみを前記ケースに圧接密着させる密着部を設け、この密着部によって前記回転つまみ側から前記回転体側に前記ケースを介して浸入しようとする液体または粉塵を防滴することを特徴とする回転式電子部品。
【請求項２】
請求項１に記載の回転式電子部品であって、
前記回転つまみを前記ケースに対して回転自在に凹凸係合させ、当該凹凸部分に前記密着部を設けたことを特徴とする回転式電子部品。
【請求項３】
請求項１又は２に記載の回転式電子部品であって、
前記回転体に取り付けられる摺動子と、前記摺動子が摺接する回路パターンを有する回路基板と、を具備する電気的機能部を設け、
この電気的機能部をカバーで覆ったことを特徴とする回転式電子部品。
【請求項４】
請求項１又は２または３に記載の回転式電子部品であって、
前記密着部に、前記回転つまみと前記ケース間の摩擦力を低減させる潤滑部材を設置したことを特徴とする回転式電子部品。
【発明の詳細な説明】
【技術分野】
【０００１】
本発明は、回転式可変抵抗器や回転式スイッチなどの回転式電子部品に関し、特に内部に液体などが浸入するのを効果的に防止できる回転式電子部品に関するものである。
【背景技術】
【０００２】
従来、回転式電子部品の中には、例えば特許文献１に示す回転式電子部品（１）のように、摺動子（１３０）や摺接パターン（５７）などからなる電気的機能部内への液体や粉塵の浸入を防止するため、基台（２０）上の電気的機能部の周囲を囲む位置に防滴部材（７０）を設置し、防滴部材（７０）に設けたリング状の凹部（液溜り部）７３内に回転体（１１０）に設けたリング状の凸部（１２１）を挿入する凹凸係合構造としていた。
【先行技術文献】
【特許文献】
【０００３】
【特許文献１】特開２００８−１２３９０４号公報
【発明の概要】
【発明が解決しようとする課題】
【０００４】
しかし、上記回転式電子部品（１）の凹凸係合構造においては、防滴部材（７０）の凹部（７３）と、回転体（１１０）の凸部（１２１）とが密着するような係合構造ではないため、両者の隙間から液体や粉塵などが浸入してしまう虞があった。
【０００５】
本発明は上述の点に鑑みてなされたものでありその目的は、簡単な構造で、効果的な防滴を行うことができる回転式電子部品を提供することにある。
【課題を解決するための手段】
【０００６】
本発明は、回転つまみと、前記回転つまみと一体に回転する回転体と、前記回転つまみと前記回転体の間に設置されるケースと、を具備し、前記ケースの前記回転体と対向する側の面にクリック係合部を設け、前記回転体に前記クリック係合部に弾接するクリック弾性体を取り付け、前記クリック弾性体が前記ケースのクリック係合部に弾接する弾発力によって、前記回転つまみを前記ケースに圧接密着させる密着部を設け、この密着部によって前記回転つまみ側から前記回転体側に前記ケースを介して浸入しようとする液体または粉塵を防滴することを特徴としている。
本発明によれば、クリック弾性体の弾発力を用いて、回転つまみをケースに圧接密着させるので、当該密着部における密着の程度は高く、これによって回転つまみ側からケースを介して回転体側へ液体または粉塵（以下「液体など」という）が浸入することを、効果的に防止することができる。
【０００７】
また本発明は、上記特徴に加え、前記回転つまみを前記ケースに対して回転自在に凹凸係合させ、当該凹凸部分に前記密着部を設けたことを特徴としている。
本発明によれば、回転つまみをケースに凹凸係合させた部分に密着部を設けるので、凹凸係合による防滴効果と、圧接密着による防滴効果とを相乗的に発揮させることができ、より効果的な防滴作用を得ることができる。
【０００８】
また本発明は、上記特徴に加え、前記回転体に取り付けられる摺動子と、前記摺動子が摺接する回路パターンを有する回路基板と、を具備する電気的機能部を設け、この電気的機能部をカバーで覆ったことを特徴としている。
本発明によれば、電気的機能部をカバーで覆ったので、回転つまみ側からケースを介して電気的機能部へ浸入しようとする液体などばかりでなく、その反対側（ケースの回路基板を設置した側）から電気的機能部に浸入しようとする液体なども効果的に防滴できる。
【０００９】
また本発明は、上記特徴に加え、前記密着部に、前記回転つまみと前記ケース間の摩擦力を低減させる潤滑部材を設置したことを特徴としている。
本発明によれば、回転つまみをケースに圧接密着させても、ケースに対して回転つまみをスムーズに回転させることができる。また潤滑部材によって、密着部における密着の程度をさらに高めることができる。
【発明の効果】
【００１０】
本発明によれば、簡単な構造で、効果的な防滴を行うことができる。
【図面の簡単な説明】
【００１１】
【図１】回転式電子部品１の斜視図である。
【図２】回転式電子部品１の斜視図である。
【図３】回転式電子部品１の要部概略断面図である。
【図４】回転式電子部品１の分解斜視図である。
【図５】回転式電子部品１の分解斜視図である。
【発明を実施するための形態】
【００１２】
以下、本発明の実施形態を図面を参照して詳細に説明する。図１は本発明の１実施形態に係る回転式電子部品１の斜視図、図２は回転式電子部品１を異なる方向から見た斜視図、図３は回転式電子部品１の要部概略断面図（図１のＡ−Ａ概略断面図）、図４は図１に示す回転式電子部品１の分解斜視図、図５は図２に示す回転式電子部品１の分解斜視図である。これらの図に示すように、回転式電子部品１は、第１ケース（ケース）１０の一方の側に、回転つまみ側防滴部材４０と、潤滑部材（以下「潤滑シート」という）５０と、回転つまみ６０と、第２ケース（ケース）９０とを設置し、一方、第１ケース１０の他方の側に、クリック弾性体１１０と、回転体１３０と、摺動子１５０と、回路基板（以下「フレキシブル回路基板」という）１７０と、カバー１９０とを設置して構成されている。なお以下の説明において、「上」とは図１で図示する回転式電子部品１の状態での上方向をいい、「下」とはその反対方向をいうものとする。また、第１ケース１０から見て回転体１３０側を「前」、回転つまみ６０側を「後」というものとする。
【００１３】
第１ケース１０は、合成樹脂を略箱型に成形して構成されており、その後側と、上部側とに開口を有し、これによって、後側に回転つまみ収納部１１を形成し、またその上部に回転つまみ突出用開口１３を形成している。第１ケース１０の中央には、後側に向かって有底円筒状に突出する突出部１５を設け、その中央に円形に貫通する軸支孔１９を設けている。突出部１５の突出した側（後側）の面は平面状に形成された密着面１５ａとなっている。突出部１５の反対面側（前側）の軸支孔１９の周囲を囲む面には、凹凸リング状のクリック係合部２１が形成されている。突出部１５の前記クリック係合部２１を形成した側の部分は凹部となっていて、さらにその周囲からは筒状の側壁２３が突出するように設けられ、前記凹部と側壁２３によって回転体収納部２５が形成されている。前記軸支孔１９の周囲であってクリック係合部２１の内側には、リング状の凸部からなるクリック弾接体当接部２７が形成され、また側壁２３の内周面には、段状でリング状の回転体当接部２９が形成されている。また側壁２３の先端辺の部分には、複数（４つ）の小突起からなる取付部３１が突出している。また第１ケース１０の外周からはその外方に向けてつば部３３が突出しており、つば部３３の所定位置（左右２か所ずつ）には、小孔からなる被取付部３５が形成されている。一方第１ケース１０の後側の面のつば部３３の根元部分には、略円弧状に突出する防滴用突起３７が形成されている。防滴用突起３７は、回転つまみ収納部１１の周囲を囲む部分の全てにわたって形成されている。
【００１４】
回転つまみ側防滴部材４０は、高シール性（撥水性、圧縮性など）を有する合成樹脂、例えばマイクロセルポリマーシートなどを、平板円弧状に形成して構成されている。回転つまみ側防滴部材４０の内径寸法は、第１ケース１０の防滴用突起３７の外径寸法と略同一に形成され、また防滴用突起３７の略外周全長にわたる長さを有して形成されている。
【００１５】
潤滑シート５０は、表面が滑らかで且つ摩擦抵抗が小さい合成樹脂フィルム、例えばフッ素樹脂製シートなどを、リング状に形成して構成されており、その中央には貫通孔５１が形成されている。潤滑シート５０の外径寸法及び内径寸法は、前記第１ケース１０の密着面１５ａの外径寸法及び内径寸法とほぼ同一に形成されている。
【００１６】
回転つまみ６０は、合成樹脂を略円板状に成形して構成されており、その前面側（第１ケース１０側）の中央からは、円柱状の軸部６１が突出している。軸部６１の外径寸法は、前記第１ケース１０の軸支孔１９に回動自在に挿入・軸支される寸法に形成されている。軸部６１の先端には横断面が長円形状（小判形）の小突起からなるカシメ部６３が突出している。カシメ部６３の中央には凹部６５が形成されている。また軸部６１の周囲には、リング状の凹部からなる突出部係合凹部６７が形成され、その底面は平面状に形成された密着面６７ａとなっている。突出部係合凹部６７の外径寸法は、前記第１ケース１０の突出部１５の外径寸法よりも少し大きい寸法に形成されており、これによって突出部１５を係合（凹凸係合）できるように構成している。
【００１７】
第２ケース９０は、合成樹脂を略平板状に成形して構成されており、その前面側（第１ケース１０側）の中央に、リング状に突出する摺接用凸部９１を設け、またその前面側の外周近傍位置の複数箇所（４か所）に前面側に向かって突出する小突起状の取付部９３を設けている。第２ケース９０は、前記第１ケース１０の外形寸法とほぼ同じ外形寸法を有しており、各取付部９３は、前記第１ケース１０の各被取付部３５に挿入可能な寸法に形成されている。
【００１８】
クリック弾性体１１０は、弾性金属板製（板バネ製）であり、円形に形成された弾性体基部１１１の周囲に、一対のクリックアーム１１３，１１３を設置して構成されている。弾性体基部１１１の中央には、前記回転つまみ６０のカシメ部６３の外形形状と略同一の長円形状の挿通孔１１５が形成されている。一対のクリックアーム１１３，１１３は、半円弧状であり、それらの両端を弾性体基部１１１から外方に向けて突出する接続部１１７，１１７に連結している。各クリックアーム１１３，１１３の中央には、第１ケース１０側に向かって突出するように湾曲するクリック弾接部１１９，１１９が形成されている。
【００１９】
回転体１３０は、合成樹脂を略円板状に成形して構成されており、その中央には、前記回転つまみ６０のカシメ部６３の外形形状と略同一の長円形状の挿通孔１３１が形成されている。回転体１３０の第１ケース１０側を向く面の挿通孔１３１の周囲の部分は、円柱状に突出していて、その先端面をクリック弾性体取付面１３３としている。回転体１３０の第１ケース１０とは反対側を向く面の挿通孔１３１の周囲の部分は、円形凹状のカシメ部収納部１３５が形成され、その周囲の面を摺動子取付面１３７としている。摺動子取付面１３７の所定位置には、複数（３つ）の小突起からなる摺動子取付部１３９が形成されている。
【００２０】
摺動子１５０は、弾性金属板（板バネ）を略リング状に形成して構成されており、その所定位置に複数（３つ）の小孔からなる被取付部１５１を設け、また各被取付部１５１近傍部分から同一円弧方向に向けて突出する複数（３組）の摺動冊子１５３を設けて構成されている。各摺動冊子１５３の先端近傍位置には、摺接部１５５が形成されている。
【００２１】
フレキシブル回路基板１７０は、可撓性を有する合成樹脂フィルムの一方の面（第１ケース１０側を向く面）に、回路パターン（以下「摺接パターン」という）１７１を形成して構成されている。摺接パターン１７１は、前記摺動子１５０の摺接部１５５が摺接する位置に形成されている。摺接パターン１７１は、スイッチパターンであっても良いし、抵抗体パターンであっても良い。フレキシブル回路基板１７０の前記摺接パターン１７１の周囲を囲む複数位置（４か所）には、小孔からなる被取付部１７３が形成されている。各被取付部１７３は、前記第１ケース１０の各取付部３１に対向する位置に形成されている。フレキシブル回路基板１７０の外周下部からは、帯状の引出部１７５が突出している。
【００２２】
カバー１９０は、金属板製（板金製）であり、前記フレキシブル回路基板１７０の引出部１７５を除く部分と略同一の形状に形成されている。またフレキシブル回路基板１７０の被取付部１７３を設けた位置に対向する位置に、同様の小孔からなる被取付部１９１を形成している。
【００２３】
回転式電子部品１を組み立てるには、まず、回転つまみ６０の突出部係合凹部６７内に潤滑シート５０を挿入した状態で、この回転つまみ６０を第１ケース１０の回転つまみ収納部１１内に収納し、その際、回転つまみ６０の軸部６１を、第１ケース１０の軸支孔１９に回動自在に挿入する。このとき、第１ケース１０の突出部１５は、回転つまみ６０の突出部係合凹部６７が凹凸係合し、両者の密着面１５ａ，６７ａが、潤滑シート５０を挟持してその両面に夫々密着する。
【００２４】
次に、第１ケース１０の前記回転つまみ６０を設置した反対面側に、クリック弾性体１１０と回転体１３０とをこの順番で設置し、その際、回転つまみ６０のカシメ部６３を、クリック弾性体１１０の挿通孔１１５と回転体１３０の挿通孔１３１に挿通し、カシメ部６３の先端を、回転体１３０のカシメ部収納部１３５内において熱カシメし、これら各部品を一体化する。次に、前記回転体１３０の摺動子取付面１３５上に摺動子１５０を設置し、その際、回転体１３０の各摺動子取付部１３９を摺動子１５０の各被取付部１５１に挿入し、各摺動子取付部１３９の先端を熱カシメし、これによって摺動子１５０を回転体１３０に取り付ける。次に、前記摺動子１５０の上側に、フレキシブル回路基板１７０とカバー１９０とを設置して第１ケース１０の回転体収納部２５を覆う。このとき第１ケース１０の各取付部３１をフレキシブル回路基板１７０の各被取付部１７３とカバー１９０の各被取付部１９１に挿入し、各取付部３１の先端を熱カシメし、固定する。これによって、第１ケース１０の回転体収納部２５は、カバー１９０によって封止される。
【００２５】
次に、第１ケース１０の防滴用突起３７の外周側に回転つまみ側防滴部材４０を設置し、その上に第２ケース９０を設置する。その際、回転つまみ側防滴部材４０は、第１ケース１０と第２ケース９０によって挟持され、同時に、第２ケース９０の各取付部９３が第１ケース１０の各被取付部３５に挿入される。そして各取付部９３の先端を熱カシメすれば、回転式電子部品１が完成する。
【００２６】
このとき、第１ケース１０と第２ケース９０によって構成されるケースの回転つまみ突出用開口１３から回転つまみ６０の外周部分の一部が露出している。また、クリック弾性体１１０の両クリック弾接部１１９が、何れも第１ケース１０のクリック係合部２１に弾接している。また摺動子１５０の摺接部１５５がフレキシブル回路基板１７０の摺接パターン１７１上に弾接している。なお、クリック弾性体１１０のクリック弾接部１１９によるクリック係合部２１への弾接力は、摺動子１５０の摺接部１５５による摺接パターン１７１への弾接力よりも強い。なお上記組立手順はその一例であり、他の各種異なる組立手順を用いて組み立てても良いことはいうまでもない。
【００２７】
上記のように構成された回転式電子部品１において、回転つまみ突出用開口１３から露出する回転つまみ６０の外周面を指などによって回転すると、回転つまみ６０と一体に回転体１３０とクリック弾性体１１０と摺動子１５０とが回転する。その際、クリック弾性体１１０の両クリック弾接部１１９は、何れもこれらクリック弾接部１１９が弾接する第１ケース１０のクリック係合部２１の凹凸を乗り越えることでクリック感覚を生じさせる。同時に、摺動子１５０の摺接部１５５がフレキシブル回路基板１７０の摺接パターン１７１上を摺動することで、その出力信号が変化する。出力信号は、引出部１７５上の図示しない回路パターンに出力される。なお、上記摺動子１５０、摺接パターン１７１などによって、出力信号を変化させる電気的機能部が構成されている。
【００２８】
次に、上記回転式電子部品１の防滴作用について説明する。
一般に、回転式電子部品１は、回転つまみ６０の第１，第２ケース１０，９０から突出している部分のみを図示しない外装ケースの表側に露出し、その他の部分は外装ケースの裏面側に設置される。そして、液体などは、回転つまみ６０と外装ケースの間の隙間から入り込み、第１，第２ケース１０，９０の回転つまみ突出用開口１３からその内部に浸入する。第１，第２ケース１０，９０内に浸入した液体などは、第１，第２ケース１０，９０の間に挟持した回転つまみ側防滴部材４０によって、これら第１，第２ケース１０，９０の下側には漏れて行かない。
【００２９】
一方、第１，第２ケース１０，９０内に浸入した液体などの一部は、第１ケース１０の軸支孔１９に移動しようとする。これに対して、この回転式電子部品１は、第１ケース１０と回転つまみ６０の密着面１５ａ，６７ａが潤滑シート５０の両面にリング状に当接し、さらにクリック弾性体１１０（そのクリック弾接部１１９）が、第１ケース１０のクリック係合部２１に弾接した弾発力によって、回転つまみ６０の密着面６７ａと潤滑シート５０と第１ケース１０の密着面１５ａとを相互に圧接させ、これら各部材を密着させている。なお、これら両密着面６７ａ，１５ａと潤滑シート５０の密着している部分を、密着部Ｍという。このように、クリック弾性体１１０が第１ケース１０のクリック係合部２１に弾接する弾発力によって回転つまみ６０を第１ケース１０に圧接密着させるので、当該密着部Ｍにおける密着の程度は高く、これによって回転つまみ６０側から第１ケース１０を介して回転体１３０側へ液体などが浸入することを、効果的に防止することができる。なお、この回転式電子部品１においては、摺動子１５０がフレキシブル回路基板１７０とカバー１９０に弾接する弾接力によって、前記クリック弾性体１１０の弾発力を打ち消す方向の力が働くが、摺動子１５０による弾接力は、クリック弾性体１１０による弾発力に比べてかなり弱いので（弱い力になるように設定しているので）、前記密接部Ｍの密接は高い状態に保たれる。即ち、前記回転つまみ収納部１１内に浸入した液体などは、前記軸支孔１９の手前側において、その浸入が防止される。このため、第１ケース１０の軸支孔１９と回転つまみ６０の軸部６１の間の隙間を介して回転つまみ収納部１１側から回転体収納部２５側に液体などは浸入せず、電気的機能部の防滴を図ることができる。
【００３０】
なお、回転体収納部２５のフレキシブル回路基板１７０を設置する側の面は、フレキシブル回路基板１７０及びカバー１９０によって覆われているので、即ち、電気的機能部をカバー１９０で覆ったので、前記回転つまみ６０側から第１ケース１０を介して電気的機能部へ浸入しようとする液体などばかりでなく、その反対側（第１ケース１０のフレキシブル回路基板１７０を設置した側）から電気的機能部に浸入しようとする液体なども効果的に防滴できる。
【００３１】
また、上記回転式電子部品１においては、第１ケース１０の突出部１５を、回転つまみ６０の突出部係合凹部６７に挿入・係合させる構成なので、即ち、回転つまみ６０を第１ケース１０に対して回転自在に凹凸係合させ、当該凹凸部分に密着部Ｍを設けたので、凹凸係合による防滴効果と、圧接密着による防滴効果とを相乗的に発揮させることができ、より効果的な防滴作用を得ることができる。
【００３２】
さらに前記密着部Ｍにおいて、回転つまみ６０と第１ケース１０間に、滑らかな表面で摩擦力を低減させる潤滑シート５０を設置したので、前記密着部Ｍにおける密着度を高くできて防滴効果を増大でき、且つ回転つまみ６０を第１ケース１０に圧接密着させても、第１ケース１０に対して回転つまみ６０をスムーズに回転させることができる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、回転つまみとケースを圧接密着させる密着部に、潤滑シートを介在させたが、潤滑シートを省略し、回転つまみの密着面とケースの密着面とを直接密着させる構成としても良い。また上記実施形態では、回転つまみをケースに対して回転自在に凹凸係合させ、当該凹凸部分に密着部を設けたが、当該凹凸係合を省略し、例えば回転つまみに設けた突起部をケースの平面状の面に潤滑シートを介して又は直接密着させる構成、又はその逆に回転つまみの平面状の面にケースに設けた突起部を潤滑シートを介して又は直接密着させる構成などとしても良い。また上記例では回路基板としてフレキシブル回路基板を用いたが、その代わりに硬質の回路基板を用いても良い。また上記実施形態では潤滑部材として潤滑シートを用いたが、可撓性を有さない潤滑部材などを用いても良い。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００３４】
１  回転式電子部品
１０  第１ケース（ケース）
２１  クリック係合部
４０  回転つまみ側防滴部材
５０  潤滑シート（潤滑部材）
６０  回転つまみ
９０  第２ケース（ケース）
１１０  クリック弾性体
１３０  回転体
１５０  摺動子
１７０  フレキシブル回路基板（回路基板）
１７１  摺接パターン（回路パターン）
１９０  カバー
Ｍ  密着部
【図１】
2020017379.tif 000003
【図２】
2020017379.tif 000004
【図３】
2020017379.tif 000005
【図４】
2020017379.tif 000006
【図５】
2020017379.tif 000007